【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
i）懸濁液（１１３、２１３）を収容するための室（１０３、５０３）、
ii）室（１０３、５０３）に割り当てられる第１電極（１０５、４０５、９０５）、
iii）室（１０３、５０３）に割り当てられる第２電極（１０７、２０７、３０７、４０７、８０７、９０７）、
iv）室（１０３、５０３）に割り当てられ、表面上に粒子（１１５）を沈着されることができる支持体（１０７、２１９、９０７）であって、第２電極（１０７、２０７、３０７、４０７、８０７、９０７）及び／又は第１電極（１０５、４０５、９０５）と第２電極（１０７、２０７、３０７、４０７、８０７、９０７）との間に配設される沈着素子（２１９）によって形成される該支持体、
v）第１電極（１０５、４０５、９０５）と第２電極（１０７、２０７、３０７、４０７、８０７、９０７）との間に電位差を発生させるための電圧源（１０９、４０９）、及び
vi）電気泳動的沈着過程中に予め決められた第１経路（６２７）に沿って第１電極（１０５、４０５、９０５）と支持体（１０７、２１９、９０７）との間を相対運動する位置決め素子（１１１、１１１ａ）
を具備し、該電極（９０５、９０７）の一方又は両方が、該電極（９０５、９０７）の間の電場の保護及び／又は集束のための保護層（９３５、９３７）によって包囲された電導性素子（９３３）から形成され、該懸濁液（１１３、２１３）から粒子（１１５）を電気泳動的に沈着させることによってモールド（１１７）、特に歯科用モールド（１１７）を製造するための装置（１０１、２０１、３０１、４０１、５０１）において、
該保護層（９３５、９３７）が絶縁体（９３５）と保護素子（９３７）を具有し、該電導性素子（９３３）が該絶縁体（９３５）によって包囲されると共に該絶縁体（９３５）が該保護素子（９３７）によって包囲され、該保護素子（９３７）が対置する電極と同じ電位を示すことができることを特徴とする該装置（１０１、２０１、３０１、４０１、５０１）。
【請求項２】
支持体（１０７、２１９、９０７）が、第１電極（１０５、４０５、９０５）と第２電極（１０７、２０７、３０７、４０７、８０７、９０７）との間に配設される沈着素子（２１９）によって形成され、位置決め素子（１１１、１１１ａ）が、第２電極（１０７、２０７、３０７、４０７、８０７、９０７）と第１電極（１０５、４０５、９０５）及び／又は沈着素子（２１９）との間において予め決められた第２経路に沿って相対運動する
ことができる請求項１記載の装置（１０１、２０１、３０１、４０１、５０１）。
【請求項３】
沈着素子（２１９）がイオン透過性膜、特に、石膏、ポリスチレン、ポリメチルメタクリレート、ポリエーテルスルホン及びこれらの混合物から選択される材料製のイオン透過性膜を具有する請求項１又は２記載の装置（１０１、２０１、３０１、４０１、５０１）。
【請求項４】
支持体（１０７、２１９、９０７）が第１電極（１０５、４０５、９０５）と第２電極（１０７、２０７、３０７、４０７、８０７、９０７）との間に配設された沈着素子（２１９）から形成され、室（１０３、５０３）が、沈着素子（２１９）によって分離された少なくとも２つの区分室を具有し、第１電極（１０５、４０５、９０５）には第１区分室が割り当てられ、第２電極（１０７、２０７、３０７、４０７、８０７、９０７）には第２区分室が割り当てられ、少なくとも第１区分室又は第２区分室が懸濁液（１１３、２１３）を収容する請求項１から３いずれかに記載の装置（１０１、２０１、３０１、４０１、５０１）。
【請求項５】
保護層（９３５、９３７）が、電導性素子（９３３）を越えて対置する電極の方向へ延びる請求項１記載の装置（１０１、２０１、３０１、４０１、５０１）。
【請求項６】
電極（１０５、４０５、９０５、１０７、２０７、３０７、４０７、８０７、９０７）の一方又は両方が点状尖端部を有する請求項１から５いずれかに記載の装置（１０１、２０１、３０１、４０１、５０１）。
【請求項７】
電極（１０５、４０５、９０５、１０７、２０７、３０７、４０７、８０７、９０７）の一方が点状尖端部を有し、電極（１０５、４０５、９０５、１０７、２０７、３０７、４０７、８０７、９０７）の他方が、横断面が円弧状の表面（８３１）、好ましくは球状帯形態又は球冠形態を有する表面（８３１）を有する請求項１から６いずれかに記載の装置（１０１、２０１、３０１、４０１、５０１）。
【請求項８】
電極（１０５、４０５、９０５、１０７、２０７、３０７、４０７、８０７、９０７）の各々の表面が、平行な表面法線を有する相互に対置する部分表面を具有する請求項１から５いずれかに記載の装置（１０１、２０１、３０１、４０１、５０１）。
【請求項９】
電圧源（１０９、４０９）が、一定の若しくは脈動状の直流電圧又は交流電圧が重ねられた一定の若しくは脈動状の直流電圧を発生するように構成された請求項１から８いずれかに記載の装置（１０１、２０１、３０１、４０１、５０１）。
【請求項１０】
装置（１０１、２０１、３０１、４０１、５０１）が、室（１０３、５０３）に割り当てられた第３電極（４２５）を具備し、電圧源（１０９、４０９）が、第３電極（４２５）と第１電極及び／又は第２電極（１０５、４０５、９０５、１０７、２０７、３０７、４０７、８０７、９０７）の間において一定の若しくは脈動状の直流電圧又は交流電圧が重ねられた一定の若しくは脈動状の直流電圧を発生するように構成された請求項１から９いずれかに記載の装置（１０１、２０１、３０１、４０１、５０１）。
【請求項１１】
少なくとも１つの相対運動（６２７、７２９）が、少なくとも２つの空間方向、好ましくは３つの空間方向における運動及び／又は回転運動を含む請求項１から１０いずれかに記載の装置（１０１、２０１、３０１、４０１、５０１）。
【請求項１２】
第１電極（１０５、４０５、９０５）の配置手段が、第２電極（１０７、２０７、３０７、４０７、８０７、９０７）の上方又は下方において実質上垂直状態で配設された請求項１から１１いずれかに記載の装置（１０１、２０１、３０１、４０１、５０１）。
【請求項１３】
i）電気泳動的に沈着可能な粒子（１１５）の懸濁液（１１３、２１３）を調製する工程（５０）、
ii）第１電極（１０５、４０５、９０５）と第２電極（１０７、２０７、３０７、４０７、８０７、９０７）との間に電位差を発生させる工程（５２）であって、両方の電極（１０５、４０５、９０５、１０７、２０７、３０７、４０７、８０７、９０７）の一方が少なくとも部分的に懸濁液（１１３、２１３）中に配置させると共に、両方の電極（１０５、４０５、９０５、１０７、２０７、３０７、４０７、８０７、９０７）の他方を懸濁液（１１３、２１３）と電気的に接触させる該工程、及び
iii）懸濁液（１１３、２１３）から粒子（１１５）を支持体（１０７、２１９、９０７）の表面上へ電気泳動的に沈着させる工程（５４）であって、該支持体が、第２電極（１０７、２０７、３０７、４０７、８０７、９０７）及び／又は第１電極（１０５、４０５、９０５）と第２電極（１０７、２０７、３０７、４０７、８０７、９０７）との間に配設される沈着素子（２１９）によって形成される該工程
を含む、該懸濁液（１１３、２１３）から粒子（１１５）を電気泳動的に沈着させることによってモールド（１１７）、特に歯科用モールド（１１７）を製造するための方法であって、電気泳動的沈着過程中に予め決められた経路（６２７）に沿って第１電極（１０５、４０５、９０５）及び／又は支持体（１０７、２１９、９０７）を相互に相対的に運動させる工程（５６、５８、６０）を含む該方法において、
該電極（９０５、９０７）の一方又は両方の保護層（９３５、９３７）の保護素子（９３７）が、電気泳動的沈着過程中の該電極（９０５、９０７）の間の電場の保護及び／又は集束のために、対置する電極と同じ電位を示し、
該電極（９０５、９０７）の一方又は両方が、保護層（９３５、９３７）によって包囲される電導性素子（９３３）から形成され、
該保護層（９３５、９３７）が絶縁体（９３５）と保護素子（９３７）を具有し、
該電導性素子（９３３）が該絶縁体（９３５）によって包囲されると共に該絶縁体（９３５）が該保護素子（９３７）によって包囲される
ことを特徴とする該方法。
【請求項１４】
電気泳動的沈着工程（５４）において、第１電極（１０５、４０５、９０５）及び／又は支持体（１０７、２１９、９０７）を、局部的な沈着条件が両者の相対運動によって実質上決定されるように、相互に相対的に運動させる工程（５６、５８、６０）を含む請求項１３記載の方法。
【請求項１５】
i）請求項１から１２いずれかに記載のモールド（１１７）の製造用装置（１０１、２０１、３０１、４０１、５０１）、及び
ii）装置（１０１、２０１、３０１、４０１、５０１）の室（１０３、５０３）の内部に収容された電気泳動的に沈着可能な粒子（１１５）の懸濁液（１１３、２１３）
を具備する、懸濁液（１１３、２１３）から粒子（１１５）を電気泳動的に沈着させることによってモールド（１１７）、特に歯科用モールド（１１７）を製造するためのシステムであって、支持体（１１３、２１３）及び第１電極又は第２電極（１０５、４０５、９０５、１０７、２０７、３０７、４０７、８０７、９０７）が作動状態において少なくとも部分的に懸濁液（１１３、２１３）の内部に配置され、該電極（１０５、４０５、９０５、１０７、２０７、３０７、４０７、８０７、９０７）の他方が懸濁液（１１３、２１３）と少なくとも電気的に接触する該システム。
【請求項１６】
懸濁液（１１３）が有機懸濁媒体を含有する請求項１５記載のシステム。
【請求項１７】
懸濁液（２１３）が、懸濁媒体として水を含有する請求項１５記載のシステム。
【請求項１８】
支持体（１０７、２１９、９０７）が、第１電極（１０５、４０５、９０５）と第２電極（１０７、２０７、３０７、４０７、８０７、９０７）との間に配設された沈着素子（２１９）によって形成され、作動状態の室（１０３、５０３）が、沈着素子（２１９）によって分離された２つの区分室を具有し、第１電極（１０５、４０５、９０５）が第１区分室に割り当てられ、第２電極（１０７、２０７、３０７、４０７、８０７、９０７）が第２区分室に割り当てられ、少なくとも第１区分室又は第２区分室が懸濁液（１１３、２１３）を保有する請求項１５から１７いずれかに記載のシステム。
【請求項１９】
作動状態の他方の区分室が電導性液体（２２１）を保有する請求項１８記載のシステム。
【請求項２０】
懸濁液（１１３、２１３）から粒子（１１５）を電気泳動的に沈着させることによってモールド（１１７）を製造するための請求項１から１２いずれかに記載の装置（１０１、２０１、３０１、４０１、５０１）に組み込まれたときに、該装置（１０１、２０１、３０１、４０１、５０１）に対して請求項１３又は１４記載の方法を実行するように命令するコンピュータプログラム。
【請求項２１】
請求項２０記載のコンピュータプログラムを具有するデータ記憶媒体。
【手続補正２】
【補正対象書類名】明細書
【補正対象項目名】００２２
【補正方法】変更
【補正の内容】
【００２２】
本発明によれば、上記の課題は、請求項１に記載の特徴を有するモールドを製造するための装置によって解決された。
【手続補正３】
【補正対象書類名】明細書
【補正対象項目名】００２３
【補正方法】変更
【補正の内容】
【００２３】
さらに本発明は、請求項１３に記載の特徴を有するモールドを製造するための方法に関する。
【手続補正４】
【補正対象書類名】明細書
【補正対象項目名】００２６
【補正方法】変更
【補正の内容】
【００２６】
本発明は、電極と粒子が沈着されるべき支持体との間の相対運動によって、電気泳動的沈着に対して有意な電場を支持体上に可変的に発生させるときには、電気泳動的沈着法の利点を維持すると共に適切な立体的沈着層を得ることが可能となるという知見に基づく。第１電極と支持体との間の相対運動に起因して沈着をもたらす電場を予め設定されるように変化させることによって、予め決定される所望の形態に十分に一致する形態を有するモールドを簡単に製造することができる。
一方又は両方の電極の電場の保護又は集束によって、作動中は、支持体上への粒子の位置選択的で適切な沈着が行われる。この保護又は集束によって、作動中の電極間に形成される電場は支持体の表面の一定の部分に制限させることができ、また、この一定の表面部分の外側の電場の強さは所望の値まで低下させることができるので、この電場の限定的分布に起因して、一定の表面部分のみ又は実質的に該表面部分のみに粒子が沈着される。このようにして、本発明によれば、あたかも電気泳動的刷毛を用いるかのようにして、予め決められた経路に沿った相対運動によって支持体の表面が塗布される。この場合、例えば、電場の強さと滞留時間の調整によって、沈着層の強度又は厚さを調整することができる。本発明の１つの実施態様においては、沈着を決定するパラメータを変化させることによる局部的な沈着条件に起因して、沈着されるモールドの密度を変化させることができる。（注釈：この段落の記載内容は、出願当初の明細書の段落 [００４７] の記載内容に対応する）
例えば、共軸的な保護層を有する少なくとも１つの電極を形成させることによって、局部的に狭く限定される電場が調整できることが判明した。この種の局部的な限定は、電気泳動的沈着のための別の配置態様においては、これまで行われていなかった。従って、本発明によれば、局部的な沈着効率と局部的な沈着条件の可変性の明確な改善が可能となる。（注釈：この段落の記載内容は、出願当初の明細書の段落 [００４９] の記載内容に対応する）
【手続補正５】
【補正対象書類名】明細書
【補正対象項目名】００４６
【補正方法】削除
【補正の内容】
【手続補正６】
【補正対象書類名】明細書
【補正対象項目名】００４７
【補正方法】削除
【補正の内容】
【手続補正７】
【補正対象書類名】明細書
【補正対象項目名】００４８
【補正方法】削除
【補正の内容】
【手続補正８】
【補正対象書類名】明細書
【補正対象項目名】００４９
【補正方法】削除
【補正の内容】
【手続補正９】
【補正対象書類名】明細書
【補正対象項目名】０１３１
【補正方法】変更
【補正の内容】
【０１３１】
１０１  本発明による装置
１０３  室
１０５  第１電極
１０７  第２電極
１０９  電圧源
１１１  位置決め素子
１１３  懸濁液
１１５  粒子
１１７  モールド
２０１  本発明による装置
２０７  第２電極
２１３  懸濁液
２１９  沈着素子
２２１  電導性液体
３０１  本発明による装置
３０７  第２電極
４０１  本発明による装置
４０５  第１電極
４０７  第２電極
４０９  電圧源
４２５  第３電極
５０１  本発明による装置
５０３  室
６２７  予め決められた経路
８０７  第２電極
８３１  円弧状の表面
９０５  第１電極
９０７  第２電極
９３３  電導性素子
９３５  絶縁体
９３７  保護素子